(57)【要約】【課題】ロール紙の詰め替え作業を容易なものとすることができるロール紙収納容器を提供する。【解決手段】ロール紙収納容器は、収納空間Ｋを本体部１１外部に対して開閉可能にするフラップ３１を備えている。そして、例えば、収納空間Ｋ内に収納されていた脂取り紙Ｐが無くなり、新たな脂取り紙Ｐを収納空間Ｋ内に詰め替える場合には、フラップ３１を操作して収納空間Ｋを開放することで、新たな脂取り紙Ｐを収納空間Ｋ内に詰め替える。【選択図】図６
0003160450.tif 000002
【実用新案登録請求の範囲】
【請求項１】
ロール紙を収納する収納空間を有する本体部と、
複数の突起刃を備えるとともに前記ロール紙を前記複数の突起刃に押し当てながら引っ張ることで前記ロール紙を切断するために前記本体部に設けられる切断手段と、
前記本体部に取り付けられ前記収納空間を前記本体部外部に対して開閉可能にする開閉部材と、を備えたことを特徴とするロール紙収納容器。
【請求項２】
前記本体部は外形が三角柱状であるとともに、
前記本体部には、前記開閉部材を収容可能な開口部を前記本体部外部に対して開閉可能にする蓋部が取り付けられ、前記蓋部における開閉側の側縁部全体が、前記蓋部により前記開口部を開ける際に指を引っ掛けるための引掛け部になっていることを特徴とする請求項１に記載のロール紙収納容器。
【請求項３】
前記蓋部により前記開口部が閉じられた状態において、前記蓋部における開閉側の側縁部と前記本体部の側縁部との間から前記ロール紙が引き出されるとともに、
前記切断手段は、前記蓋部の側縁部全体に設けられていることを特徴とする請求項２に記載のロール紙収納容器。
【請求項４】
前記本体部における前記収納空間を区画形成する内側面には、前記ロール紙の外周面に沿うように凹部が形成されていることを特徴とする請求項１〜請求項３のいずれか一項に記載のロール紙収納容器。
【請求項５】
前記ロール紙は脂取り紙又はメガネ拭きであることを特徴とする請求項１〜請求項４のいずれか一項に記載のロール紙収納容器。
【考案の詳細な説明】
【技術分野】
【０００１】
本考案は、ロール紙を収納するロール紙収納容器に関する。
【背景技術】
【０００２】
近年、額や鼻等の顔の表面に分泌された余分な脂分を吸い取る脂取り紙をロール状に連続して巻いた状態で収納するロール紙収納容器が知られている（例えば特許文献１参照）。
【０００３】
特許文献１のロール紙収納容器は、脂取り紙を収納する本体と、本体に開閉自在に取り付けられる蓋部材とを備えている。本体は、その外形が略直方体であるとともに、軸方向に二分割されてなる半筒状の背面部材と前面部材とが組み合わされることで構成されている。また、背面部材には蓋部材が取り付けられる。
【０００４】
背面部材における長手方向両側の側壁のうち、一方の面には係合孔が形成されるとともに、他方の面には凹部が形成されている。さらに、凹部には係合突部が形成されている。また、前面部材における長手方向両側の側壁のうち、一方の面には背面部材の係合孔と係合可能な係合爪が形成されるとともに、他方の面には弾性突片が形成されている。さらに、弾性突片には係合孔が形成されている。
【０００５】
そして、背面部材と前面部材とを組み付ける際には、背面部材の係合孔に前面部材の係合爪を挿入するとともに、前面部材の弾性突片を背面部材の凹部に沿って押し込む。すると、弾性突片が背面部材の係合突部を乗り越えて、弾性突片の係合孔が凹部の係合突部に係合する。その結果、背面部材と前面部材とが組み付けられるとともに、本体の内部に脂取り紙を収納する収納空間が形成される。
【０００６】
また、背面部材と前面部材とが組み付けられることで、本体の一側面にはスリットが形成されるようになっており、本体内に収納された脂取り紙の一端側がこのスリットを介して外部へ引き出されるようになっている。さらに、蓋部材における開閉側の側縁部にはカッターが形成されるとともに、本体内に収納された脂取り紙は、スリットを介して外部へ引き出されてカッターにより必要な長さで切断されて使用される。
【０００７】
また、本体内に収納されていた脂取り紙が無くなり、新たな脂取り紙を本体内に詰め替える場合には、まず、蓋部材を本体に対して開くとともに、弾性突片を指先で引っ掛けるようにして本体の外方へ力を加えて、係合突部と係合孔との係合を解除させながら、弾性突片を凹部に沿って引き抜く。すると、係合孔と係合爪との係合も解除されて、その結果、背面部材と前面部材とが分離され、新たな脂取り紙を詰め替えることができる。
【先行技術文献】
【特許文献】
【０００８】
【特許文献１】実用新案登録第３１２９１４８号公報
【考案の概要】
【考案が解決しようとする課題】
【０００９】
しかしながら、特許文献１のロール紙収納容器では、本体内に新たな脂取り紙を詰め替える際に、背面部材と前面部材とを分離させなければならず、詰め替え作業が煩わしいという問題があった。
【００１０】
なお、こうした問題は、ロール状に連続して巻かれた脂取り紙を収納するロール紙収納容器に限らず、例えば、帯状の紙を巻いて形成されたメガネ拭き等を収納するロール紙収納容器においも、概ね共通したものとなっている。
【００１１】
本考案は、このような従来の技術に存在する問題点に着目してなされたものであり、その目的は、ロール紙の詰め替え作業を容易なものとすることができるロール紙収納容器を提供することにある。
【課題を解決するための手段】
【００１２】
上記目的を達成するために、請求項１に記載の考案は、ロール紙を収納する収納空間を有する本体部と、複数の突起刃を備えるとともに前記ロール紙を前記複数の突起刃に押し当てながら引っ張ることで前記ロール紙を切断するために前記本体部に設けられる切断手段と、前記本体部に取り付けられ前記収納空間を前記本体部外部に対して開閉可能にする開閉部材と、を備えたことを要旨とする。
【００１３】
この考案によれば、例えば、収納空間内に収納されていたロール紙が無くなり、新たなロール紙を収納空間に詰め替える場合には、開閉部材を操作して収納空間を本体部外部へ開放することで、ロール紙の詰め替え作業を行うことができる。よって、収納空間が二つの部品を組み付けて形成されている場合のように、ロール紙を詰め替えるために二つの部品を二分割に分離する必要がなく、ロール紙の詰め替え作業を容易なものとすることができる。
【００１４】
請求項２に記載の考案は、請求項１に記載の考案において、前記本体部は外形が三角柱状であるとともに、前記本体部には、前記開閉部材を収容可能な開口部を前記本体部外部に対して開閉可能にする蓋部が取り付けられ、前記蓋部における開閉側の側縁部全体が、前記蓋部により前記開口部を開ける際に指を引っ掛けるための引掛け部になっていることを要旨とする。
【００１５】
この考案によれば、本体部の外形が三角柱状であるため、蓋部に対して傾斜する側面に沿う方向から引掛け部に対して指を引っ掛け易い。よって、例えば、本体部の外形が円柱状である場合に比べて、本体部に対して蓋部を容易に開けることができる。
【００１６】
請求項３に記載の考案は、請求項２に記載の考案において、前記蓋部により前記開口部が閉じられた状態において、前記蓋部における開閉側の側縁部と前記本体部の側縁部との間から前記ロール紙が引き出されるとともに、前記切断手段は、前記蓋部の側縁部全体に設けられていることを要旨とする。
【００１７】
この考案によれば、本体部から外部へ引き出されたロール紙を必要な長さで蓋部の側縁部を基点にして鋭角に折り返すとともに、蓋部側へ引っ張りながらロール紙を必要な長さで切断することができる。よって、切断手段が本体部の側縁部に設けられるとともに、ロール紙を本体部側へ引っ張りながら切断する場合に比べて、ロール紙を蓋部の側縁部を基点にして鋭角に折り返すことで、ロール紙に対して複数の突起刃をうまく食い込ませることができる。その結果、ロール紙をスムーズに切断することができるとともに、ロール紙を外部へ引き出して必要な長さで容易に切断することができる。
【００１８】
請求項４に記載の考案は、請求項１〜請求項３のいずれか一項に記載の考案において、前記本体部における前記収納空間を区画形成する内側面には、前記ロール紙の外周面に沿うように凹部が形成されていることを要旨とする。
【００１９】
この考案によれば、ロール紙が収納空間内に収納されている状態において、ロール紙の外周面が凹部に沿うように嵌まった状態で収納されるため、ロール紙が収納空間内で動いてしまうことを抑制することができる。
【００２０】
請求項５に記載の考案は、請求項１〜請求項４のいずれか一項に記載の考案において、前記ロール紙は脂取り紙又はメガネ拭きであることを要旨とする。
ロール紙収納容器は、脂取り紙又はメガネ拭きを収納するとともに脂取り紙又はメガネ拭きを必要な長さで切断するために好適である。
【考案の効果】
【００２１】
この考案によれば、ロール紙の詰め替え作業を容易なものとすることができる。
【図面の簡単な説明】
【００２２】
【図１】実施形態におけるロール紙収納容器及びロール紙を示す斜視図。
【図２】ロール紙収納容器の外観を示す斜視図。
【図３】ロール紙収納容器の側面図。
【図４】図３におけるＡ−Ａ線断面図。
【図５】蓋部が開いた状態を示すロール紙収納容器の縦断面図。
【図６】フラップが開いた状態を示すロール紙収納容器の縦断面図。
【考案を実施するための形態】
【００２３】
以下、本考案を具体化した一実施形態を図１〜図６にしたがって説明する。
図１に示すように、ロール紙収納容器１０は、ロール紙としての脂取り紙Ｐを収納する合成樹脂製の本体部１１と、本体部１１に対して開閉自在に取り付けられるとともに細長板状をなす合成樹脂製の蓋部２１及び開閉部材としてのフラップ３１とを備えている。
【００２４】
まず、本体部１１について説明する。
図１及び図２に示すように、本体部１１は、一面に開口を有する三角箱状をなすとともに外形が三角柱状になっている。また、本体部１１は、その長手方向の両端に一対の端壁１２を備えるとともに、一対の端壁１２同士を繋ぐ第１側壁１４及び第２側壁１５を備えている。第１側壁１４及び第２側壁１５の一長側縁部同士は互いに連続して第１側壁１４と第２側壁１５とは一体化されている。そして、本体部１１において、一対の端壁１２、第１側壁１４及び第２側壁１５の端縁により、本体部１１内を外部へ開放する開口部１６が囲み形成されている。
【００２５】
図３に示すように、第１側壁１４の他長側縁部には、本体部１１の長手方向に沿って延びる凹部１４ａが形成されている。凹部１４ａの長手方向に沿う長さは、蓋部２１の長手方向に沿う長さよりも僅かに長くなっている。また、図２に示すように、第２側壁１５の他長側縁部には、本体部１１の長手方向に沿って延びる凹部１５ａが形成されている。凹部１５ａの長手方向に沿う長さは、凹部１４ａの長手方向に沿う長さと同じ長さになっている。
【００２６】
図１に示すように、一対の端壁１２における内面であって、本体部１１に対して蓋部２１が取り付けられる側には回動用係合穴１２ａがそれぞれ形成されている。各回動用係合穴１２ａは互いに対向する位置に形成されている。また、一対の端壁１２における内面であって、本体部１１に対して蓋部２１が開閉される側には開閉用係合穴１２ｂがそれぞれ形成されている。各開閉用係合穴１２ｂは互いに対向する位置に形成されている。
【００２７】
第１側壁１４の内面には、第１側壁１４の内面に対して交差するとともに開口部１６の開口面に対して直交する方向に延びる延設部１７が延設されている。延設部１７は、一対の端壁１２の一方から他方に達するまで延びるように形成されている。そして、本体部１１内において、一対の端壁１２、第１側壁１４、第２側壁１５、及び延設部１７により区画される空間により、本体部１１内に脂取り紙Ｐを収納する収納空間Ｋが区画形成される。この収納空間Ｋは、開口部１６を介して本体部１１外へ開放される。
【００２８】
図４に示すように、第１側壁１４の内面には、脂取り紙Ｐの外周面に沿うようにラウンド面をなす凹部１４ｂが形成されるとともに、第２側壁１５の内面には脂取り紙Ｐの外周面に沿うようにラウンド面をなす凹部１５ｂが形成されている。脂取り紙Ｐが収納空間Ｋ内に収納された状態では、凹部１４ｂ，１５ｂに脂取り紙Ｐの外周面の一部分が嵌まり込み可能になっている。
【００２９】
図１に示すように、一対の端壁１２の内面において、延設部１７の先端よりも僅かに開口部１６側には、開閉用係合穴１２ｃがそれぞれ形成されている。各開閉用係合穴１２ｃは互いに対向する位置に形成されている。また、一対の端壁１２の内面において、開閉用係合穴１２ｂよりも開口部１６とは反対側寄りには、回動用係合穴１２ｄがそれぞれ形成されている。各回動用係合穴１２ｄは互いに対向する位置に形成されている。
【００３０】
次に、蓋部２１について説明する。
蓋部２１において、本体部１１に対して取り付けられる側であって、且つ一対の端壁１２側の両側面には、回動用係合凸部２２ａがそれぞれ設けられている。各回動用係合凸部２２ａは、一対の端壁１２の各回動用係合穴１２ａに係合可能になっている。また、蓋部２１において、本体部１１に対して開閉される側であって、且つ一対の端壁１２側の両側面には、開閉用係合凸部２２ｂがそれぞれ設けられている。各開閉用係合凸部２２ｂは、一対の端壁１２の各開閉用係合穴１２ｂに係合可能になっている。
【００３１】
そして、蓋部２１における本体部１１に対して取り付けられる側の側縁部が第１側壁１４の凹部１４ａ内に挿入されて、各回動用係合凸部２２ａが各回動用係合穴１２ａに係合されることで、蓋部２１は本体部１１に対して回動自在に取り付けられる。また、各開閉用係合凸部２２ｂが各開閉用係合穴１２ｂに係合されることで、蓋部２１により開口部１６が閉じられて、この係合により、使用者の意に反して、蓋部２１が開いて開口部１６が開放されることが規制される。
【００３２】
図４に示すように、蓋部２１により開口部１６が閉じられた状態において、蓋部２１における開閉側の側縁部と本体部１１における第２側壁１５の凹部１５ａの内面との間には、本体部１１内に収納された脂取り紙Ｐを外部へ引き出すための引出し口２４が設けられている。また、蓋部２１における開閉側の側縁部には、切断手段としてのカッター２５が形成されている。図１及び図２に示すように、カッター２５は、三角形状の突起刃２５ａ（ノコ刃）が、蓋部２１における開閉側の側縁部において、長手方向に沿って連続した状態で複数形成されている。
【００３３】
次に、フラップ３１について説明する。
フラップ３１において、本体部１１に対して取り付けられる側であって、且つ一対の端壁１２側の両側面には、回動用係合凸部３２ｄがそれぞれ設けられている。各回動用係合凸部３２ｄは、一対の端壁１２の各回動用係合穴１２ｄに係合可能になっている。また、フラップ３１において、本体部１１に対して開閉される側であって、且つ一対の端壁１２側の両側面には、開閉用係合凸部３２ｃがそれぞれ設けられている。各開閉用係合凸部３２ｃは、一対の端壁１２の各開閉用係合穴１２ｃに係合可能になっている。
【００３４】
そして、フラップ３１における本体部１１に対して取り付けられる側の側縁部が開口部１６から本体部１１内に挿入されて、各回動用係合凸部３２ｄが各回動用係合穴１２ｄに係合されることで、フラップ３１は本体部１１に対して回動自在に取り付けられる。また、各開閉用係合凸部３２ｃが各開閉用係合穴１２ｃに係合されることで、フラップ３１により収納空間Ｋが閉じられて、この係合により、使用者の意に反して、フラップ３１が開いて収納空間Ｋが開放されることが規制される。
【００３５】
図４に示すように、フラップ３１における開閉側の側縁部は、フラップ３１が本体部１１に対して閉じられると、延設部１７の先端と重合するようになっているとともに、フラップ３１における開閉側の側縁部と延設部１７の先端との間には僅かな隙間３４が形成されるようになっている。この隙間３４が、収納空間Ｋ内に収納された脂取り紙Ｐを収納空間Ｋ外へ引き出すためのスリットとして機能する。
【００３６】
フラップ３１により収納空間Ｋが閉じられた状態において、蓋部２１により開口部１６が閉じられると、フラップ３１は蓋部２１によって覆われるようになっている。また、蓋部２１により開口部１６が閉じられた状態において、第２側壁１５に沿って蓋部２１の開閉側の側縁部に向けて指を移動させ、その指を側縁部に引っ掛けて、蓋部２１に向けて力を加える。すると、各開閉用係合凸部２２ｂと各開閉用係合穴１２ｂとの係合が解除されて、図５に示すように、本体部１１に対して蓋部２１を開けることができる。よって、蓋部２１における開閉側の側縁部全体は、蓋部２１を開ける際に指を引っ掛けるための引掛け部として機能する。
【００３７】
次に、上記構成におけるロール紙収納容器１０の使用方法について説明する。なお、脂取り紙Ｐは、既に収納空間Ｋ内に収納されており、脂取り紙Ｐの先端が隙間３４を介して蓋部２１とフラップ３１との間に存在しているものとする。
【００３８】
まず、図５に示すように、蓋部２１における開閉側の側縁部に対して指を引っ掛けるとともに、蓋部２１に向けて力を加えて、蓋部２１を回動させ、開口部１６を開放させる。次に、脂取り紙Ｐの先端側を引っ張って、脂取り紙Ｐを凹部１５ａ上を通過させて脂取り紙Ｐを必要な長さ分だけ本体部１１から引き出した後、蓋部２１を回動させて開口部１６を閉じる。そして、脂取り紙Ｐを必要な長さでカッター２５の刃先と凹部１５ａとで挟み込み、引出し口２４を介して脂取り紙Ｐを外部へ露出させる。さらに、脂取り紙Ｐをカッター２５を基点にして蓋部２１側へ鋭角に折り返すとともに、脂取り紙Ｐを必要な長さで複数の突起刃２５ａに押し当てて、引出し口２４に沿うように引っ張りながら、脂取り紙Ｐを必要な長さでカッター２５により切断する。
【００３９】
また、収納空間Ｋ内に収納されていた脂取り紙Ｐが無くなり、新たな脂取り紙Ｐを収納空間Ｋ内に詰め替える場合には、まず、図５に示すように、本体部１１に対して蓋部２１を開く。次に、図６に示すように、本体部１１に対してフラップ３１を開くことで、収納空間Ｋを開口させる。これにより、収納空間Ｋ内に新たな脂取り紙Ｐを収納空間Ｋ内に詰め替えることができる。
【００４０】
上記実施形態では以下の効果を得ることができる。
（１）ロール紙収納容器１０において、本体部１１には収納空間Ｋが外部へ開口するように形成されるとともに、この収納空間Ｋを開閉可能にするフラップ３１を備えている。そして、例えば、収納空間Ｋ内に収納されていた脂取り紙Ｐが無くなり、新たな脂取り紙Ｐを収納空間Ｋ内に詰め替える場合には、フラップ３１を操作して収納空間Ｋを開放させることで、脂取り紙Ｐの詰め替え作業を行うことができる。したがって、収納空間が二つの部品を組み付けて形成されている場合のように、脂取り紙Ｐを詰め替えるために二つの部品を二分割に分離する必要がなく、脂取り紙Ｐの詰め替え作業を容易なものとすることができる。
【００４１】
（２）本体部１１は外形が三角柱状であるとともに、本体部１１にはフラップ３１を覆う蓋部２１が取り付けられ、本体部１１の第２側壁１５の外面の延長線上に蓋部２１における開閉側の側縁部が位置している。そして、蓋部２１における開閉側の側縁部全体が、蓋部２１を本体部１１に対して開ける際に指を引っ掛けるための引掛け部として機能する。このため、蓋部２１に対して傾斜する第２側壁１５の外面に沿う方向から蓋部２１における開閉側の側縁部に対して指を引っ掛け易い。よって、例えば、本体部１１の外形が円柱状である場合に比べて、本体部１１に対して蓋部２１を容易に開けることができる。例えば、脂取り紙Ｐが切断された後、本体部１１内では脂取り紙Ｐが収納空間Ｋから隙間３４を介して蓋部２１とフラップ３１との間に存在することになる。このとき、脂取り紙Ｐを、引出し口２４を介して外部へ引き出すために蓋部２１を開ける操作を容易に行うことができる。
【００４２】
（３）蓋部２１における開閉側の側縁部にはカッター２５が形成されているため、引出し口２４を介して外部へ引き出された脂取り紙Ｐを必要な長さでカッター２５を基点にして鋭角に折り返すとともに、蓋部２１側へ引っ張りながら脂取り紙Ｐを必要な長さで切断することができる。よって、例えば、カッター２５が第２側壁１５の凹部１５ａ内面に形成されており、脂取り紙Ｐを本体部１１側へ引っ張りながら切断する場合に比べて、脂取り紙Ｐをカッター２５を基点にして鋭角に折り返すことで、脂取り紙Ｐに対して複数の突起刃２５ａをうまく食い込ませることができる。その結果、脂取り紙Ｐをスムーズに切断することができるとともに、脂取り紙Ｐを外部へ引き出して必要な長さで容易に切断することができる。
【００４３】
（４）第１側壁１４の内面及び第２側壁１５の内面には、脂取り紙Ｐの外周面に沿う凹部１４ｂ，１５ｂが形成されている。よって、脂取り紙Ｐが収納空間Ｋ内に収納されている状態において、脂取り紙Ｐの外周面の一部分が凹部１４ｂ，１５ｂに沿うように嵌まった状態で収納されるため、脂取り紙Ｐが収納空間Ｋ内で動いてしまうことを抑制することができる。
【００４４】
（５）本体部１１は、外形が三角柱状になっている。よって、蓋部２１の上面、第１側壁１４の外面及び第２側壁１５の外面が平坦面になっているため、本体部１１の外形が円柱状である場合に比べて、本体部１１の外面に対して印字をし易くすることができる。
【００４５】
（６）上記構成のロール紙収納容器１０は、脂取り紙Ｐを収納するとともに脂取り紙Ｐを必要な長さで切断するために好適である。
なお、実施形態は以下のように変更してもよい。
【００４６】
○  実施形態において、カッター２５を蓋部２１における開閉側の側縁部に形成したが、これに限らず、第２側壁１５の凹部１５ａ内面にカッター２５を形成してもよい。
○  実施形態において、カッター２５を蓋部２１における開閉側の側縁部に形成したが、これに限らず、カッター２５を蓋部２１における開閉側の側縁部に形成し、さらに、第２側壁１５の凹部１５ａ内面にカッター２５を形成してもよい。
【００４７】
○  実施形態において、本体部１１が蓋部２１を備えていなくてもよい。この場合、第２側壁１５の凹部１５ａ内面にカッター２５を設ける必要がある。
○  実施形態において、本体部１１は、外形が三角柱状であったが、これに限らず、例えば、四角柱状や円柱状であってもよく、本体部１１における外形の形状は特に限定されるものではない。
【００４８】
○  実施形態において、第１側壁１４の内面及び第２側壁１５の内面に形成された凹部１４ｂ，１５ｂを削除してもよい。
○  本考案を、ロール状に連続して巻かれた脂取り紙Ｐを収納するとともに、脂取り紙Ｐを必要な長さで切断するロール紙収納容器１０に適用したが、これに限らず、帯状の紙を巻いて形成されたメガネ拭き等を収納するとともに、メガネ拭き等を必要な長さで切断するロール紙収納容器に適用してもよい。また、紙には、シート状の樹脂フィルムも含む。
【符号の説明】
【００４９】
Ｋ…収納空間、Ｐ…ロール紙としての脂取り紙、１０…ロール紙収納容器、１１…本体部、１４ｂ，１５ｂ…凹部、１６…開口部、２１…蓋部、３１…開閉部材としてのフラップ、２５…切断手段としてのカッター、２５ａ…突起刃。
【図１】
0003160450.tif 000003
【図２】
0003160450.tif 000004
【図３】
0003160450.tif 000005
【図４】
0003160450.tif 000006
【図５】
0003160450.tif 000007
【図６】
0003160450.tif 000008